(57)【要約】【課題】  ＰＤＣ・ＰＨＳ複合型の通信装置において、使用者における煩雑な操作を要することなく、通信が可能となった通信方式を即座に判断することができると共に、複数の通信方式の状態・設定や相互の関係を簡素な表示手段で明快に表示することができる通信装置の表示システムを提供する。【解決手段】  記憶部１７に記憶する各通信方式のパラメータの内、「使用可否」をＥＥＰＲＯＭ１８に記憶されたデータによって設定する一方、使用者による入力部１６の操作によって各通信方式の使用優先順位を手動設定し、記憶部１７に記憶されている各通信方式のパラメータ内の「使用可否」に基づいてマイコン１２が各通信方式のキャラクタ表示を行うか否かを判断する。実際に使用可能で表示を行うと判断された各通信方式のキャラクタを、設定された使用優先順位に従って左から順に表示部１３に表示するとともに、現在選択されている通信方式のキャラクタを識別可能に表示する。【選択図】        図１
2005102268.tif 000002
【特許請求の範囲】
【請求項１】
複数の異なる通信方式に対応した通信装置において該複数の通信方式に対応するそれぞれ異なる表示要素を表示手段に表示することにより通信方式の状態を表示する通信装置の表示システムであって、
前記複数の通信方式のうちどの通信方式を優先的に選択使用するかの優先順位を示す情報と、通信方式の実際の使用が可能な状態であるか否かを示す使用可否情報と、前記複数の通信方式に対応した表示要素のパターンとを、記憶する記憶手段と、
前記複数の通信方式に対応した表示要素を表示する表示手段と、
前記通信装置の制御手段とを含み、
前記制御手段は、
操作者が任意に指定した前記優先順位を示す情報を前記記憶手段に記憶させるステップと、
前記記憶手段に記憶されている優先順位を示す情報を参照し、該情報により示された優先順位に従って実際に使用可能な通信方式を順次判定し、それぞれの通信方式の前記使用可否情報を前記記憶手段に記憶させるステップと、
使用可能として前記記憶手段に記憶されている通信方式に対応した表示要素のパターンを前記記憶手段から読出し、前記記憶手段に記憶されている優先順位に従った配置で前記表示手段に表示するとともに、該表示された表示要素のうちの優先順位が第一位の通信方式の表示要素を現在選択されている通信方式として他の通信方式の表示要素と表示形態を異ならせて表示するステップ、
とを含む処理を、前記通信装置の待受け状態において実行し、
前記表示するステップにより前記表示手段に表示された表示要素のみで、実際に使用可能な通信方式と、操作者が指定した優先順位と、現在選択されている通信方式とを識別可能に報知することを特徴とする、通信装置の表示システム。
【請求項２】
通信方式の選択を行なうためのモード切換操作手段をさらに含み、
前記記憶手段は、前記複数の通信方式のうち、現在選択されている通信方式を識別する情報をさらに記憶し、
前記制御手段は、前記各ステップを含む処理を行なって、現在選択されている通信方式を識別可能に前記表示手段に表示している状態で、操作者による前記モード切換操作手段の操作があったとき、優先順位の次の通信方式が実際に使用可能かどうかを判定し、使用可能である場合には前記優先順位の次の通信方式を現在選択されている通信方式として他の通信方式の表示要素と表示形態を異ならせて前記表示手段に表示することを特徴とする、請求項１に記載の通信装置の表示システム。
【請求項３】
前記制御手段は、前記優先順位の次の通信方式が実際に使用可能かどうかの判定の結果、前記優先順位の次の通信方式が使用可能でないと判定したときには、優先順位のさらに次の通信方式が実際に使用可能か否かを判定し、使用可能である場合には前記優先順位のさらに次の通信方式を現在選択されている通信方式として他の通信方式の表示要素と表示形態を異ならせて表示することを特徴とする、請求項２に記載の通信装置の表示システム。
【発明の詳細な説明】
【技術分野】
【０００１】
本発明は、複数の通信方式を用いた通信が可能な通信装置の表示システムに関する。
【背景技術】
【０００２】
従来より、複数の通信方式を用いた通信が可能な通信装置としては、ＰＤＣ（Personal Digital Cellular communication system）や、ＰＨＳ（Personal Handy-phone System）等を複合した携帯電話機が提案されており、このような携帯電話機においては、通信方式を使用者に報知するものとして、特許文献１に示されるように、各通信方式に切り換えるためのキーに対応する位置にＬＥＤを設け、キーが押されたときに対応するＬＥＤを点灯するものや、特許文献２に示されるように、ＰＤＣが選択されたときとＰＨＳが選択されたときとで表示画面のバックライトの色を変えるようにしたものが提案されていた。
【特許文献１】特開平４−２４２３５３号公報
【特許文献２】特開平９−１９１４９１号公報
【発明の開示】
【発明が解決しようとする課題】
【０００３】
ところで、ＰＤＣやＰＨＳ等を複合した携帯電話機においては、各通信方式を用いた通信が可能となるようなハード構成とするだけでなく、各通信方式を提供するサービスに加入したり、構内交換機に登録することによって始めて各通信方式を用いた通信が可能となるが、上記従来装置のように、押されたキーに対応するＬＥＤを点灯させたり、ＰＤＣが選択されたときとＰＨＳが選択されたときとで表示画面のバックライトの色を変えるようにしたものでは、ＰＤＣやＰＨＳ等を通信方式を選択してみないと、そのＰＤＣやＰＨＳ等の通信方式が使用可能となっているのか判断することができず、使用者において煩雑な操作を要すると共に、即座に判断することができないといった問題点があった。
【０００４】
又、このように複数の通信方式を用いた通信が可能な通信装置においては、各々の通信方式の状態・設定や通信方式の相互関係を表示する必要があり、多彩な情報を一度に表示する必要があった。そこで、表示手段における表示画面を大きくしたり、表示を複数に分けて選択的又は自動的に表示する必要があるが、表示画面を大きくするものでは、通信装置が大型化すると共に重量が増して携帯性に支障を来すといった問題点があり、又表示を複数に分けて選択的に表示するものでは、使用者における操作を要するといった問題点があり、更に表示を複数に分けて自動的に表示するものでは、使用者における操作を要しないものの、全ての表示を短時間で確認することができないといった問題点があった。
【０００５】
本発明は、使用者における煩雑な操作を要することなく、ハード構成によって通信が使用可能となっている通信方式の内、サービスに加入したり構内交換機に登録することによって通信が可能となった通信方式を即座に判断することができると共に、複数の通信方式の状態・設定や相互の関係を簡素な表示手段で明快に表示することができる通信装置の表示システムを提供することを目的とするものである。
【課題を解決するための手段】
【０００６】
上記目的を達成するために、請求項１記載の発明は、複数の異なる通信方式に対応した通信装置において該複数の通信方式に対応するそれぞれ異なる表示要素を表示手段に表示することにより通信方式の状態を表示する通信装置の表示システムであって、複数の通信方式のうちどの通信方式を優先的に選択使用するかの優先順位を示す情報と、通信方式の実際の使用が可能な状態であるか否かを示す使用可否情報と、前記複数の通信方式に対応した表示要素のパターンとを、記憶する記憶手段と、複数の通信方式に対応した表示要素を表示する表示手段と、
前記通信装置の制御手段とを含み、制御手段は、操作者が任意に指定した優先順位を示す情報を前記記憶手段に記憶させるステップと、記憶手段に記憶されている優先順位を示す情報を参照し、該情報により示された優先順位に従って実際に使用可能な通信方式を順次判定し、それぞれの通信方式の前記使用可否情報を記憶手段に記憶させるステップと、使用可能として前記記憶手段に記憶されている通信方式に対応した表示要素のパターンを前記記憶手段から読出し、記憶手段に記憶されている優先順位に従った配置で前記表示手段に表示するとともに、該表示された表示要素のうちの優先順位が第一位の通信方式の表示要素を現在選択されている通信方式として他の通信方式の表示要素と表示形態を異ならせて表示するステップ、とを含む処理を、前記通信装置の待受け状態において実行し、表示するステップにより前記表示手段に表示された表示要素のみで、実際に使用可能な通信方式と、操作者が指定した優先順位と、現在選択されている通信方式とを識別可能に報知するものである。
【０００７】
請求項２記載の発明は、請求項１記載の発明のシステムに加え、通信方式の選択を行なうためのモード切換操作手段をさらに含み、記憶手段は、複数の通信方式のうち、現在選択されている通信方式を識別する情報をさらに記憶し、制御手段は、前記各ステップを含む処理を行なって、現在選択されている通信方式を識別可能に表示手段に表示している状態で、操作者によるモード切換操作手段の操作があったとき、優先順位の次の通信方式が実際に使用可能かどうかを判定し、使用可能である場合には優先順位の次の通信方式を現在選択されている通信方式として他の通信方式の表示要素と表示形態を異ならせて表示手段に表示するものである。
【０００８】
請求項３記載の発明は、請求項２記載の発明のシステムに加え、制御手段は、優先順位の次の通信方式が実際に使用可能かどうかの判定の結果、優先順位の次の通信方式が使用可能でないと判定したときには、優先順位のさらに次の通信方式が実際に使用可能か否かを判定し、使用可能である場合には優先順位のさらに次の通信方式を現在選択されている通信方式として他の通信方式の表示要素と表示形態を異ならせて表示手段に表示するものである。
【発明の効果】
【０００９】
請求項１記載の発明によれば、通信装置の待受け状態において、使用可能な通信方式に対応した表示要素のパターンが優先順位に従った配置で表示手段に表示されるとともに、その表示された表示要素のうちの優先順位が第一位の通信方式の表示要素が現在選択されている通信方式として他の通信方式の表示要素と表示形態を異ならせて表示され、表示手段に表示された表示要素のみで、実際に使用可能な通信方式と、操作者が指定した優先順位と、現在選択されている通信方式とを単一の画面によって使用者に認識させることができる。
【００１０】
請求項２記載の発明によれば、現在選択されている通信方式を識別可能に表示手段に表示している状態で、通信方式の選択を行なうためのモード切換操作手段を操作者が操作したとき、優先順位の次の通信方式が実際に使用可能かどうかが判定され、使用可能である場合には優先順位の次の通信方式が現在選択されている通信方式として他の通信方式の表示要素と表示形態を異ならせて表示手段に表示され、優先順位の次の通信方式を使用者に認識させることができる。
【００１１】
請求項３記載の発明によれば、優先順位の次の通信方式が実際に使用可能かどうかの判定の結果、優先順位の次の通信方式が使用可能でないと判定されたときには、優先順位のさらに次の通信方式が実際に使用可能か否かが判定され、使用可能である場合には当該優先順位のさらに次の通信方式が現在選択されている通信方式として他の通信方式の表示要素と表示形態を異ならせて表示手段に表示され、当該優先順位のさらに次の通信方式を使用者に認識させることができる。
【発明を実施するための最良の形態】
【００１２】
以下、本発明の実施の形態を図面に基づいて詳細に説明する。
【００１３】
図１は本発明の通信装置の一実施の形態であるＰＤＣ／ＰＨＳ複合型の携帯電話機の電気的構成を示す機能ブロック図、図２は同携帯電話機の外観構造を示す外観図であり、（ａ）は正面図、（ｂ）は側面図をそれぞれ示す。図３は同携帯電話機における通信方式表示時の動作制御を示すフローチャート、図４は同携帯電話機における表示のために記憶された各種データのデータ構造を示す説明図であり、（ａ）は最優先の通信方式を記憶するためのデータ構造、（ｂ）は各種通信方式のパラメータを記憶するためのデータ構造を示す。図５は同携帯電話機における優先順位選択動作時における表示例を示す説明図、図６は同携帯電話機における通信方式表示時の表示例を示す説明図であり、（ａ）は最初の表示、（ｂ）はモードボタン押下時の表示をそれぞれ示す。
【００１４】
図１及び図２において、１，２は無線アンテナ、３は受信電界強度を検出し出力する受信手段を含むＰＤＣＲＦ部、４は無線区間のデータ配列と通信するデータとの変換を行うチャネルコーデックを含むＰＤＣベースバンド部であり、これら無線アンテナ１，２と、ＰＤＣＲＦ部３と、ＰＤＣベースバンド部４とにより、ＰＤＣ無線基地局との間で無線電波を使用して制御や通話やデータ等の通信を行うＰＤＣ通信手段が構成されている。
【００１５】
５は受信電界強度を検出し出力する受信手段を含むＰＨＳＲＦ部、６は無線区間のデータ配列と通信するデータとの変換を行うチャネルコーデックを含むＰＨＳベースバンド部であり、これら無線アンテナ２と、ＰＨＳＲＦ部５と、ＰＨＳベースバンド部６とにより、ＰＨＳ無線基地局やデジタルコードレス電話親機や構内ＰＨＳ交換システム等との間で無線電波を使用して制御や通話やデータ等の通信を行う公衆ＰＨＳ通信手段や自営ＰＨＳ通信手段が構成されている。
【００１６】
７はプログラム制御により音声符号化復号化処理を行うＤＳＰ等からなる音声コーデック、８は音声コーデック７によって復号化処理された音声信号を外部に放音するレシーバ、９は外部音声を集音して音声コーデック７に供給するマイク、１０は音声コーデック７によって復号化処理された音声信号を外部出力すると共に、外部入力された音声信号を音声コーデック７に供給するイヤホンマイクジャック、１１は音声コーデック７から供給される着信音を外部に放音するブザーである。
【００１７】
１２は各通信手段を使用するためのプロトコル制御や各種ユーザインターフェース制御等を行うと共に、後述する選択手段や受信品質処理手段等を実現するマイコン、１３は各種状態や電話番号等を表示するＬＣＤ等からなる表示部、１４は着信用ＬＥＤ、１５は機器本体を振動させるバイブレータ、１６は電話番号の入力を行うキースイッチや使用する通信方式の選択を行うモードボタン等からなる入力部であり、この内のモードボタンが、図２に示すように、表示部１３の近くに唯一存在するため、このモードボタンが表示に関連していることを印象付け、これが重要な選択である優先度決定に使用されるので、使用者における操作性を向上することができるようになっている。
【００１８】
１７は表示要素のパターンや使用可能通信手段や優先順位等を記憶するフラッシュＲＯＭやＲＡＭ等からなる記憶部、１８は各通信方式における電話番号等のＩＤ情報を記憶するＥＥＰＲＯＭであり、これらアンテナ１，２と、ＰＤＣＲＦ部３と、ＰＤＣベースバンド部４と、ＰＨＳＲＦ部５と、ＰＨＳベースバンド部６と、音声コーデック７と、レシーバ８と、マイク９と、イヤホンマイクジャック１０と、ブザー１１と、マイコン１２と、表示部１３と、着信用ＬＥＤ１４と、バイブレータ１５と、入力部１６と、記憶部１７と、ＥＥＰＲＯＭ１８とによってＰＤＣ／ＰＨＳ複合型の携帯電話機が構成されている。
【００１９】
そして、このように構成されたＰＤＣ／ＰＨＳ複合型の携帯電話機は、携帯電話（ＰＤＣ）サービスに加入することで、携帯電話番号が与えられると共に、接続に必要な情報がＥＥＰＲＯＭ１８に記憶され、それに伴って、ＰＤＣ無線基地局を介した実際の通信（以下、この通信方式を「携帯」と称す）が可能となるようになっており、又ＰＨＳ公衆網サービスに加入することで、ＰＨＳ電話番号が与えられると共に、接続に必要な情報がＥＥＰＲＯＭ１８に記憶され、それに伴って、ＰＨＳ無線基地局を介した実際の通信（以下、この通信方式を「ＰＨＳ」と称す）が可能となるようになっており、又構内ＰＨＳ交換機に登録することで、内線番号が与えられると共に、接続に必要な情報がＥＥＰＲＯＭ１８に記憶され、それに伴って、構内ＰＨＳ交換機を介した実際の通信（以下、この通信方式を「ＯＳ（オフィスステーション）」と称す）が可能となるようになっており、更にデジタルコードレス電話親機に登録することで内線番号が与えられると共に、接続に必要な情報がＥＥＰＲＯＭ１８に記憶され、それに伴って、デジタルコードレス電話親機を介した実際の通信（以下、この通信方式を「ＨＳ（ホームステーション）」と称す）が可能となるようになっている。
【００２０】
尚、「ＰＨＳ」においては、上記の他にＰＨＳ無線基地局のサービスエリア内の屋内に設置されたリピータ機能を有するホームアンテナを介することにより、屋内の奥での「ＰＨＳ」の使用を可能とする通信方式等もあるが、ここでは詳細な説明を省略する。
【００２１】
以下、上記のように構成されたＰＤＣ／ＰＨＳ複合型の携帯電話機について、まず、「携帯」の動作を〔待ち受け〕〔着信〕〔通信〕〔発信〕に分けて説明する。
【００２２】
〔待ち受け〕電源投入時、マイコン１２がＥＥＰＲＯＭ１８から加入者番号（ＭＳＮ）や移動局番号（ＭＳＩ）とまり木チャネル番号等を読み取り、全てのとまり木チャネル番号に該当する周波数の受信レベルを測定し、受信レベル順にテーブルを作成して記憶部１７のＲＡＭに記憶する。そして、始めに一番高いレベルの周波数に切り換えてＰＤＣベースバンド部４のチャネルコーデックとマイコン１２により同期（フレーム同期及びスーパーフレーム同期）確立を行った後、基地局側からの報知情報をマイコン１２が読み取って待ち受け条件等のチェックを行い、報知情報で指示された待ち受けチャネルに移行する。
【００２３】
尚、同期が取れない場合や待ち受け条件を満たしていない場合には、記憶部１７のＲＡＭに記憶したレベル順テーブルに基づいて次の周波数に切り換えて上述の動作を繰り返す。
【００２４】
そして、待ち受け中は共通制御チャネル上のＰＣＨ（ページングチャネル）をＰＤＣベースバンド部４のチャネルコーデックが間欠的に受け取る間欠受信を行い、又待ち受け中は自局及び報知情報で指示された周辺チャネルの電界強度をＰＤＣＲＦ部３の受信手段により間欠的に測定している。
【００２５】
〔着信〕ＰＤＣ無線基地局は呼出する移動局に対し、ＰＣＨ上に着信の情報を乗せて送信する。移動局はＰＣＨ上の着信情報をＰＤＣベースバンド部４のチャネルコーデックで毎回受信しており、マイコン１２による情報分析の結果、自局宛ての着信情報であった場合にマイコン１２より音声コーデック７を制御して着信音をブザー１１へ出力するかバイブレータ１５を振動させると共に、着信用ＬＥＤ１４を点滅させる。
【００２６】
又、このとき、ＰＤＣ無線基地局に対し自局及び周辺チャネルの電界強度からなる無線状態報告を送信すると共に、以後、マイコン１２がＰＤＣベースバンド部４のチャネルコーデックを経由してＰＤＣ無線基地局とのメッセージのやり取りを行うことにより、デジタル方式自動車電話システム標準規格に従って通信チャネルを設定する。
【００２７】
〔通信〕通信チャネルにおいては、音声通信とデータ通信のどちらかが行われるようになっており、音声通信のときには、その受信はアンテナ１又は２（ダイバシティによる切換）にて電波を受信し、ＰＤＣＲＦ部３からの信号をＰＤＣベースバンド部４及び音声コーデック７を経由してレシーバ８又はイヤホンマイクジャック１０に出力すると共に、マイク９又はイヤホンマイクジャック１０から入力された音声を音声コーデック７及びＰＤＣベースバンド部４並びにＰＤＣＲＦ部３を介してアンテナ２より電波として送信するようになっている。
【００２８】
一方、データ通信のときには、上述の音声通信のときと同様に、電波の送受信が行われるが、ＰＤＣベースバンド部４からの信号が図示しないインターフェース回路を経由して外部インターフェースコネクタに出力され、当該外部インターフェースコネクタに接続された外部機器によってデータ通信が行われるようになっている。
【００２９】
〔発信〕移動局の待ち受け中に、入力部１６のキー操作等により発信操作が行われると、マイコン１２は相手番号と周辺電界強度を含んだメッセージを作成し、ＰＤＣベースバンド部４のチャネルコーデック及びＰＤＣＲＦ部３を介してアンテナ２より電波としてＰＤＣ無線基地局に送信すると共に、以後、マイコン１２がＰＤＣベースバンド部４のチャネルコーデックを経由してＰＤＣ無線基地局とのメッセージのやり取りを行うことにより、デジタル方式自動車電話システム標準規格に従って通信チャネルを設定する。
【００３０】
以上が「携帯」の動作であり、次に、「ＰＨＳ」の動作を〔待ち受け（間欠受信）〕〔着信〕〔発信〕に分けて説明する。尚、〔通信〕については上述の「携帯」の動作と同様であるため省略する。又、上述の「携帯」の動作との混乱しないように移動局を「ＰＳ」（Personal Station）、基地局を「ＣＳ」（Cell Station）として以下を説明する。
【００３１】
〔待ち受け（間欠受信）〕ＰＳは電源投入時、マイコン１２がＥＥＰＲＯＭ１８からＣＳ−ＩＤ（ＣＳ識別符号）やＰＳ−ＩＤ（ＰＳ識別符号）等を読み取ってＰＨＳベースバンド部６に供給した後、ＰＨＳベースバンド部６がアンテナ２及びＰＨＳＲＦ部５を経由してＣＳが間欠送信を行っている報知チャネルを受け取ると共に、その受け取った報知チャネル内のＣＳ−ＩＤとＥＥＰＲＯＭ１８から読み込んだＣＳ−ＩＤとをマイコン１２が比較し、このＣＳ−ＩＤが一致したときにこの報知チャネル内の情報をＰＳが有効にする。
【００３２】
又、同様に、ＣＳが間欠送信を行っている一斉呼出チャネルも受信し、ＣＳ−ＩＤを比較して一致するときにこのチャネルの情報も有効にして間欠受信動作に移行し、この間欠受信動作中においてＣＳから到来する電波の強度をＰＨＳＲＦ部５の受信手段により測定している。
【００３３】
〔着信〕ＣＳの間欠送信で、ＰＳの間欠受信中に着信があると、ＣＳはＰＳに着信を知らせるために、一斉呼出チャネルに着信の情報を乗せて送信する（間欠送信と同様の手順）。ＰＳはこの着信情報が入った一斉呼出チャネルを受信すると着信鳴動のためにマイコン１２が音声コーデック７を制御して着信音をブザー１１へ出力するかバイブレータ１５を振動させると共に、着信用ＬＥＤ１４を点滅させ、その後、ＣＳに対し個別セル用チャネルにて接続確認情報を返送する。
【００３４】
〔発信〕ＣＳの間欠送信で、ＰＳの間欠受信中にＰＳの入力部１６のキー操作等により発信操作が行われると、マイコン１２がベースバンド部６及びＰＨＳＲＦ部５を用いて制御キャリアにてＣＳに対し個別セル用チャネルでリンクチャネル確立要求を送信する。そして、これを受信したＣＳが例えばランダムに選択した通信用キャリアのキャリアセンスを行い、そのキャリアの当該スロットが使用されていなければＰＳに対し制御キャリアでリンクチャネル割り当てを返し、割り当てたキャリアへ切り換えて同期バーストを待つ。
【００３５】
一方、リンクチャネル割り当てを受信したＰＳは割り当てられた通信キャリアに切り換え、キャリアセンスを行った後、同期バーストを送信することにより、以後、第２世代デジタルコードレス電話システム標準規格に従って通話チャネルを設定する。
【００３６】
以上が「ＰＨＳ」の動作であり、「ＯＳ」及び「ＨＳ」の詳細な動作の説明については省略し、次に、使用可能な通信方式を表示するときの動作を図３に示すフローチャート、及び図４乃至図６に示す説明図に基づいて説明する。
【００３７】
尚、記憶部１７には、最優先の通信方式及び各通信方式のパラメータが記憶されているものとし、この内、最優先の通信方式は、図４（ａ）に示すように、最優先の通信方式を表わす「最優先の通信方式の番号」及び「ＰＨＳグループの最優先通信方式の番号」の項目からなり、又各通信方式のパラメータは、図４（ｂ）に示すように、各通信方式の表わす「番号」、実際の通信方式を表わす「通信方式」、次に移行すべき通信方式を表わす「次の優先順位の通信方式の番号」、その通信方式が何れのグループに属するかを表わす「グループ種類」、選択中の通信方式を表わす「選択」、非選択時の表示要素を表わす「表示要素（非選択時）」、選択時の表示要素を表わす「表示要素（選択時）」、通信方式が登録され使用可能な状態になっているか否かを表わす「使用可否」及び通信方式が現在サービス可能か否かを表わす「使用可否（サービス可否）」の項目からなっている。
【００３８】
そして、この内の「最優先の通信方式の番号」「ＰＨＳグループの最優先通信方式の番号」「次の優先順位の通信方式の番号」は、ＰＤＣＲＦ部３及びＰＨＳＲＦ部５の受信手段によって検出され出力された受信電界強度や同期等に基づく圏外／圏内検出によって自動設定されたり、使用者による入力部１６の操作によって手動設定されており、手動設定する場合には、まず、図５（ａ）及び図５（ｂ）に示すように、グループ種類の優先順位の例を表示部１３に表示して選択させるようにし、次に、図５（ｃ）及び図５（ｄ）に示すように、グループ内の優先順位の例を表示部１３に表示して選択させるようにすると良い。尚、この優先順位は、電話発信する場合の使用する通信方式の選択順や、電波強度レベルの表示対象に選択される通信方式の選択順や、モードボタンの押下に伴う通信方式の切換順や、発信失敗時に他の通信方式に自動的に切り換えて自動発信を行う場合の通信方式の選択順として使用される。
【００３９】
又、「使用可否」は、ＥＥＰＲＯＭ１７に記憶されたデータによって設定され、「使用可否（サービス可否）」は、ＰＤＣＲＦ部３及びＰＨＳＲＦ部５の受信手段によって検出され出力された受信電界強度や同期等に基づく圏外／圏内検出によって設定されており、この「使用可否」は、ＥＥＰＲＯＭ１７に新たな通信方式が登録されるたびに更新され、「使用可否（サービス可否）」は「待ち受け」動作における間欠受信によって定期的に更新される。
【００４０】
そして、このように、記憶部１７に最優先の通信方式及び各通信方式のパラメータが記憶されている状態において、電源投入時や通信終了時等のように最初の表示が行われる場合には、まず、記憶部１７に記憶されている最優先の通信方式を記憶部１７に記憶されている各通信方式のパラメータにおいて選択（ステップＳ１）、即ち最優先の通信方式のパラメータにおける「選択」の項目に「●」を移動し、表示部１３の表示をクリアする（ステップＳ２）と共に、記憶部１７に記憶されている最優先の通信方式を処理対象とする（ステップＳ３）。
【００４１】
そして、処理対象とした通信方式のパラメータを記憶部１７から取得し（ステップＳ４）、サービス中か否か選択されているか否かを判断する（ステップＳ５，Ｓ６）と共に、サービス中であって選択されていると判断したとき、選択時表示の表示要素を表示部１３に左詰で表示させ（ステップＳ７）、サービス中であって選択されていないと判断したとき、非選択時表示の表示要素を表示部１３に左詰で表示させ（ステップＳ８）、サービス中でないと判断したとき、及び選択時表示又は非選択時表示の表示要素を表示したとき、「次の優先順位の通信方式の番号」が「終り」となっているか否か、即ち、全ての通信方式の表示が終了したか否か判断し（ステップＳ９）、このとき、全ての通信方式の表示が終了していないと判断した場合には、「次の優先順位の通信方式の番号」に基づく通信方式を処理対象とし（ステップＳ１０）、上述の動作制御（ステップＳ３〜Ｓ１０）を繰り返す。
【００４２】
一方、「次の優先順位の通信方式の番号」が「終り」となって全ての通信方式の表示が終了したと判断された場合には、各通信方式のパラメータの内「選択」が「●」となっている通信方式、即ち、選択されている通信方式の電界強度をＰＤＣＲＦ部３又はＰＨＳＲＦ部５の受信手段から読み取り（ステップＳ１１）、その読み取った電界強度をレベルバーに変換して表示部１３に表示する（ステップＳ１２）と共に、各通信方式の「使用可否（サービス可否）」に基づいて圏内／圏外判定を表示部１３に表示する（ステップＳ１３）。
【００４３】
そして、上述の動作制御によって表示部１３に実際に使用可能で且つサービス中にある通信方式が左から順に優先順に並んだ状態で、且つ選択された通信方式のキャラクタ表示が選択時表示のキャラクタで表示されると共に、選択されていない通信方式のキャラクタ表示が非選択時表示の要素で表示されている状態において、使用者が入力部１６のモードキーを操作した場合（ステップＳ１４）には、現在選択されている通信方式のパラメータから「次の優先順位の通信方式の番号」を認識し（ステップＳ１５）、その認識された番号が「終り」である場合には最優先の通信方式を選択し（ステップＳ１６，Ｓ１７）、又その認識された番号が「終り」でない場合にはその認識された番号の通信方式を選択し（ステップＳ１６，Ｓ１８）、それぞれ選択した通信方式に選択マーク「●」を移動する（ステップＳ１９）と共に、上述した動作制御（ステップＳ４〜Ｓ１３）を行って表示部１３の表示内容を更新する。
【００４４】
即ち、例えば、図４に示すように、最優先の通信手段の番号として「１」が、ＰＨＳグループの最優先通信方式の番号として「２」が記憶されると共に、番号「１」の通信方式として「携帯」が、次の優先順位の通信方式の番号として「２」が、グループ種類として「携帯」が、選択として「●」が、表示要素（非選択時）として「携帯」が、表示要素（選択時）として「携帯」の白黒反転が、使用可否として「可」が、使用可否（サービス可否）として「可」が記憶され、又番号「２」の通信方式として「ＰＨＳ」が、次の優先順位の通信方式の番号として「３」が、グループ種類として「ＰＨＳ公衆」が、選択として「−」が、表示要素（非選択時）として「ＰＨＳ」が、表示要素（選択時）として「ＰＨＳ」の白黒反転が、使用可否として「可」が、使用可否（サービス可否）として「可」が記憶され、又番号「３」の通信方式として「ＯＳ１」が、次の優先順位の通信方式の番号として「終り」が、グループ種類として「ＰＨＳ自営」が、選択として「−」が、表示要素（非選択時）として「ＯＳ１」が、表示要素（選択時）として「ＯＳ１」の白黒反転が、使用可否として「可」が、使用可否（サービス可否）として「不可」が記憶され、更に番号「４」の通信方式として「ＨＳ１」が、次の優先順位の通信方式の番号として「−」が、グループ種類として「ＰＨＳ自営」が、選択として「−」が、表示要素（非選択時）として「ＨＳ１」が、表示要素（選択時）として「ＨＳ１」の白黒反転が、使用可否として「不可」が、使用可否（サービス可否）として「可」が記憶されている場合には、最初の表示において、図６（ａ）に示されるように、表示部１３の上部に「携帯」の文字と携帯の電波強度を表わすバーと「ＰＨＳ」の文字とが左から順に表示されると共に、下部に白黒反転された「携帯」の文字と「ＰＨＳ」の文字とが左から順に表示される。
【００４５】
そして、この状態において入力部１６のモードボタンを１回押下した場合には、図６（ｂ）に示されるように、表示部１３の上部に「携帯」の文字とＰＨＳの電波強度を表わすバーと「ＰＨＳ」の文字とが左から順に表示されると共に、下部に「携帯」の文字と白黒反転された「ＰＨＳ」の文字とが左から順に表示され、更にこの状態において入力部１６のモードボタンを１回押下した場合には、図６（ａ）に示されるように、表示部１３の上部に「携帯」の文字と携帯の電波強度を表わすバーと「ＰＨＳ」の文字とが左から順に表示されると共に、下部に白黒反転された「携帯」の文字と「ＰＨＳ」の文字とが左から順に表示される。
【００４６】
従って、上記動作制御によれば、通信方式の表示を開始するときに、機器本体に搭載された通信方式の内、実際に使用可能な通信方式であって且つサービス中の通信方式のみを左から優先順位の高い順に表示要素を表示し、最も高い優先順位の通信方式を選択することができるため、例えば、「ＰＨＳ」が優先順位第１位で「携帯」が優先順位第２位のときに、移動中の電車内のように「ＰＨＳ」での使用が適さない場所から「携帯」で一時的に電話をかける場合や、「携帯」が優先順位第１位で「ＰＨＳ」が優先順位第２位のときに、イヤホンマイクジャック１０を使用してインバンドでファクシミリ通信を一時的に行う場合等において通話やファクシミリ通信が終了したときに自動的に「ＰＨＳ」又は「携帯」に戻り、頻度の高い通常使用する通信方式が選択されるため、使用者の利便性を増すことができる。
【００４７】
又、モードボタンを押下する毎に優先順位の低いものを順次選択していき、最も低い優先順位の通信方式が選択されている状態においてモードボタンを押下した場合に最も高い優先順位の通信方式を選択するようにサイクリックに選択の切り換えを行うことができると共に、選択された通信方式の受信強度を表示することができるため、選択された通信方式にて通信を始めた場合に、どの程度の通話品質が得られるかの目安となると共に、選択された通信方式が使用者が発信操作をした場合に使用される通信方式となり、使用者の利便性を増すことができる。
【００４８】
尚、上記動作制御においては、実際に使用可能で且つサービス中にある通信方式を左から順に優先順に並べつつ、選択された通信方式を選択時表示の表示要素で、選択されていない通信方式を非選択時表示の表示要素でそれぞれ表示する場合について説明したが、これに限定されるものではなく、例えば、実際に使用可能な通信方式のみを優先順に関係なく表示させるようにしても良く、この場合には各通信方式のパラメータの「使用可否」に基づいて各通信方式の表示要素の表示を行うか否かを判断するようにすれば良く、又サービス中にない通信方式であっても実際に使用可能な通信方式については対応する表示要素を表示するようにしても良く、この場合には表示部１３の上部に表示される「携帯」及び「ＰＨＳ」の文字並びに受信強度を表わすバーをサービス中であることを表わす表示に用い、携帯又はＰＨＳがサービス中でない場合に「携帯」又は「ＰＨＳ」の表示を中止し、ＯＳ又はＨＳのみがサービス中である場合にバーのみを表示させるようにすると良い。
【００４９】
又、上記実施の形態では、予め内蔵された通信方式及び制御プログラムに基づいて表示を行う場合について説明したが、これに限定されるものではなく、例えば、無線通信モデム又は有線通信モデム等を増設して使用したり、ＰＣＭＣＩＡカードスロットを設け、無線通信カードを差し替えて使用したり、サービスへの加入情報等をカードに記憶して差し替えて使用することにより、機器本体において使用可能な通信方式を増減できるようにし、この増減される通信方式についても実際に使用可能となったときに対応する表示要素を表示するようにしても良く、更に上述の制御プログラムを記録媒体から読み出して記憶部１７に記憶したり、無線基地局を介して受信して記憶部１７に記憶し、この記憶した制御プログラムに基づいて上述の動作制御を実行するようにしても良い。
【００５０】
以上説明した実施の形態によれば、実際に使用可能な通信方式を単一の画面によって認識させることができるため、煩雑な操作を要することなく、使用者は使用可能な通信方式を即座に確認することができる。
【００５１】
また、実際に使用可能な通信方式を表わす表示要素を用いて選択中の通信方式を認識させることができるため、表示画面の大型化を招いたり、煩雑な操作を要することなく、使用者は使用可能な通信方式と選択中の通信方式とを即座に確認することができる。
【００５２】
さらに、実際に使用可能な通信方式を表わす表示要素を用いて選択中の通信方式を認識させることができると共に、使用者が要する操作を軽減することができるため、複数の通信方式を用いた通信を可能とした場合における誤操作を軽減して使い勝手を向上することができる。
【００５３】
さらに、実際に使用可能な通信方式を表わす表示要素を用いて選択中の通信方式を認識させることができると共に、通信方式の品質情報を報知するための表示領域を複数の通信方式において兼用することができるため、使用者は通信開始の直前に当該通信に用いる通信方式の品質を即座に確認することができると共に、表示領域を複数の通信方式において兼用することができるため、表示画面の大型化をも防止することができる。
【００５４】
さらに、実際に使用可能な通信方式を表わす表示要素を用いて通信方式の優先順位を認識させることができるため、表示画面の大型化を招いたり、煩雑な操作を要することなく、使用者は使用可能な通信方式とその優先順位とを即座に確認することができる。
【００５５】
さらに、比較的少ない選択項目によって所望の優先順位を得ることができるため、使用可能な通信方式が増大した場合であっても、使用者における煩雑な操作を要することなく、当該通信方式の優先順位を決定することができる。
【図面の簡単な説明】
【００５６】
【図１】本発明の通信装置の一実施の形態であるＰＤＣ／ＰＨＳ複合型の携帯電話機の電気的構成を示す機能ブロック図である。
【図２】同携帯電話機の外観構造を示す外観図であり、（ａ）は正面図、（ｂ）は側面図をそれぞれ示す。
【図３】同携帯電話機における通信方式表示時の動作制御を示すフローチャートである。
【図４】同携帯電話機における表示のために記憶された各種データのデータ構造を示す説明図であり、（ａ）は最優先の通信方式を記憶するためのデータ構造、（ｂ）は各種通信方式のパラメータを記憶するためのデータ構造を示す。
【図５】同携帯電話機における優先順位選択動作時における表示例を示す説明図である。
【図６】同携帯電話機における通信方式表示時の表示例を示す説明図であり、（ａ）は最初の表示、（ｂ）はモードボタン押下時の表示をそれぞれ示す。
【符号の説明】
【００５７】
１，２  アンテナ、３  ＰＤＣＲＦ部、４  ＰＤＣベースバンド部、５  ＰＨＳＲＦ部、６  ＰＨＳベースバンド部、７  音声コーデック、８  レシーバ、９  マイク、１０  イヤホンマイクジャック、１１  ブザー、１２  マイコン、１３  表示部、１４  着信用ＬＥＤ、１５  バイブレータ、１６  入力部、１７  記憶部、１８  ＥＥＰＲＯＭ。
【図１】
2005102268.tif 000003
【図２】
2005102268.tif 000004
【図３】
2005102268.tif 000005
【図４】
2005102268.tif 000006
【図５】
2005102268.tif 000007
【図６】
2005102268.tif 000008